(57)【要約】【課題】塗装対象物体の壁面や支承の裏側であっても、表面が凹凸であっても効率よくケレンがけできるケレン用ブラシ及びその使用方法を提供する。【解決手段】本発明のケレン用ブラシ(1)は、芯線(2)に固定され、断面方向から見て放射状に配置されているブラシ部(3)を含み、芯線(2)の両端にはブラシ部(3)を動かすための取っ手(4a,4b)が接続されている。このケレン用ブラシの使用方法は、前記ケレン用ブラシ(1)を用いて、取っ手(4a,4b)を交互に引っ張ることにより対象物体の表面を清浄化する。支承の裏側であっても表面が凹凸であっても、ブラシ部が追従するため効率よくケレンがけでき、両端の取っ手に荷重をかけた状態で交互に引っ張るとブラシ部に押圧力を与えることができる。さらに対象箇所が狭い部分であっても挿入でき、効率よくケレンがけできる。【選択図】図１
2013248157.tif 000002
【特許請求の範囲】
【請求項１】
ケレン用ブラシであって、
芯線に固定され、断面方向から見て放射状に配置されているブラシ部を含み、
前記芯線の両端には前記ブラシ部を動かすための取っ手が接続されていることを特徴とするケレン用ブラシ。
【請求項２】
前記ブラシ部と取っ手の間の芯線には取り外し可能なフックが取り付けられている請求項１に記載のケレン用ブラシ。
【請求項３】
前記ブラシ部は、鋼線、合成樹脂製フィラメント繊維、及び鋼線又は合成樹脂製フィラメント繊維の表面に砥粒が樹脂で固定されている線から選ばれる少なくとも一つである請求項１又は２に記載のケレン用ブラシ。
【請求項４】
前記ケレン用ブラシの長さは０．５メートル以上である請求項１〜３のいずれか１項に記載のケレン用ブラシ。
【請求項５】
請求項１〜４のいずれか１項に記載のケレン用ブラシの使用方法であって、
芯線に固定され、断面方向から見て放射状に配置されているブラシ部を含み、前記芯線の両端には前記ブラシ部を動かすための取っ手が接続されているケレン用ブラシを用いて、前記取っ手を交互に引っ張ることにより対象物体の表面を清浄化することを特徴とするケレン用ブラシの使用方法。
【発明の詳細な説明】
【技術分野】
【０００１】
本発明は、塗装対象物体の表面を清浄化するためのケレン用ブラシ及びその使用方法に関する。
【背景技術】
【０００２】
コンクリート製建造物、鋼鉄製建造物などは塗装により寿命を延ばすことができるが、塗装前には対象物体の表面は清浄化しておく必要がある。とくに既存の鉄道、道路等の橋梁、橋台、高架道路、高架鉄道、建築物等の壁面や支承表面の再塗装に際しては、古い塗膜を研磨などにより剥ぎ取り、清浄化した後に行う必要がある。従来のケレンがけ機としては、特許文献１〜３のような装置が提案されている。また、ケレンブラシとしては特許文献４が提案されている。
【０００３】
しかし、従来のケレン用ブラシは塗装対象物体の壁面や支承の裏側や狭い場所が効率よくケレンがけできない問題があり、表面が凹凸であるとやはり効率よくケレンがけできないという問題があった。
【先行技術文献】
【特許文献】
【０００４】
【特許文献１】特開２００５−２１１８８４号公報
【特許文献２】特開２００３−２３１０５８号公報
【特許文献３】特開平０８−０１９４９７号公報
【特許文献４】実開平０６−０４０２０５号公報
【発明の概要】
【発明が解決しようとする課題】
【０００５】
本発明は、前記従来の問題を解決するため、塗装対象物体の壁面や支承の裏側や狭い場所であっても、表面が凹凸であっても効率よくケレンがけできるケレン用ブラシ及びその使用方法を提供する。
【課題を解決するための手段】
【０００６】
本発明のケレン用ブラシは、芯線に固定され、断面方向から見て放射状に配置されているブラシ部を含み、前記芯線の両端には前記ブラシ部を動かすための取っ手が接続されていることを特徴とする。
【０００７】
本発明のケレン用ブラシの使用方法は、前記のケレン用ブラシの使用方法であって、芯線に固定され、断面方向から見て放射状に配置されているブラシ部を含み、前記芯線の両端には前記ブラシ部を動かすための取っ手が接続されているケレン用ブラシを用いて、前記取っ手を交互に引っ張ることにより対象物体の表面を清浄化することを特徴とする。
【発明の効果】
【０００８】
本発明のケレン用ブラシは、芯線に固定され、断面方向から見て放射状に配置されているブラシ部を含み、前記芯線の両端には前記ブラシを動かすための取っ手が接続されていることにより、塗装対象物体である壁面や支承の裏側であっても、表面が凹凸であっても効率よくケレンがけできる。本発明のケレン用ブラシには両端に取っ手が取り付けてあり、これを交互に引っ張ることにより、支承の裏側であっても、表面が凹凸であっても、芯線に固定されたブラシ部が追従するため効率よくケレンがけできる。また、両端の取っ手に荷重をかけた状態で交互に引っ張ると、ブラシ部に押圧力を与えることができ、この押圧力もケレンがけに有効である。加えて、本発明のケレン用ブラシは細いので、対象箇所が狭い部分であっても挿入でき、効率よくケレンがけできる。
【図面の簡単な説明】
【０００９】
【図１】図１Ａは本発明の一実施例のケレン用ブラシを示す模式的平面図、図１Ｂは同、ブラシ部の模式的断面図である。
【図２】図２は同、鋼鉄支承（沓）の背面をケレンがけする際の模式的断面図である。
【図３】図３は同、鋼鉄支承（ポール）の背面をケレンがけする際の模式的断面図である。
【図４】図４は同、橋台の上の鋼鉄支承の背面をケレンがけする際の模式的斜視図である。
【図５】図５Ａは本発明の別の実施例のフック付きケレン用ブラシを示す模式的平面図、図５Ｂは同フックを外した部分拡大図、図５Ｃは同パイプ内のケレンがけを示す部分拡大図である。
【発明を実施するための形態】
【００１０】
以下、図面を用いて説明する。下記の図面の説明において同一符号は同一物を示す。図１Ａは本発明の一実施例のケレン用ブラシを示す模式的平面図、図１Ｂは同、ブラシ部の模式的断面図である。このケレン用ブラシ１は、芯線２と、芯線２に固定され断面方向から見て放射状に配置されているブラシ部３と、両端の取っ手４ａ，４ｂを含む。以下、各部材について説明する。
【００１１】
(1)芯線
芯線は例えば複数本の鋼線を撚ったものや合成繊維のロープを使用できる。鋼線の場合は、例えば直径０．１〜５ｍｍ程度の太さの軟鉄線を３〜４本程度撚り合わせて使用する。合成繊維製ロープの場合は、例えば直径５〜３０ｍｍ程度のナイロン繊維、ポリエステル繊維、ポリオレフィン繊維、アラミド繊維などの撚りロープ、組紐、編み紐などを使用できる。
【００１２】
(2)ブラシ部
ブラシ部は、鋼線、合成樹脂製フィラメント繊維、鋼線又は合成樹脂製フィラメント繊維の表面に砥粒が樹脂で固定されている線などを使用できる。鋼線の場合は通常のワイヤーブラシとして使用されているものを使用できる。例えば直径０．１〜２ｍｍ程度の太さのピアノ線（鋼線）を使用できる。合成樹脂製フィラメント繊維の場合は、例えば直径０．０１〜１ｍｍ程度のナイロン繊維、ポリエステル繊維、ポリオレフィン繊維、アラミド繊維などのモノフィラメントを使用できる。鋼線又は合成樹脂製フィラメント繊維の表面に砥粒が樹脂で固定されている線の場合は、前記の線又は繊維の表面に樹脂を被覆しダイヤモンド砥粒、炭化珪素砥粒などの硬度の高い砥粒を吹き付けて固定した線が使用できる。
【００１３】
ブラシ部を構成する鋼線又は合成樹脂製フィラメント繊維と芯線との固定は、一例として次のような方法がある。
a.ブラシ部を構成する鋼線又は合成樹脂製フィラメント繊維をＵ字形、又はＶ字形に折り、芯線を撚る場合は芯線に撚り込む。芯線が組紐の場合は組み込み、編み紐の場合は編み込む。
b.ブラシ部を構成する鋼線又は合成樹脂製フィラメント繊維と芯線とを接着剤によって接着固定する。
c.前記a及びbを併用する。
【００１４】
(3)取っ手
芯線の両端には前記ブラシを動かすための取っ手が接続されている。取っ手の形状、大きさは任意のものとすることができる。一例として、人手で引っ張る場合は手で握れる程度の大きさであればよく、機械力で引っ張る場合は、土木建築作業で使用するカラビナ（安全環）を掛けられる大きさであればよい。
【００１５】
(4)大きさ
ケレン用ブラシ１の長さは、対象物体の大きさに合わせて任意の長さとすることができるが、一例として０．５ｍ以上が好ましく、さらに好ましくは１〜５ｍである。ブラシ部３の好ましい長さは０．１ｍ以上であり、さらに好ましくは０．２〜４.５ｍである。ブラシ部３の好ましい直径は５ｃｍ以上であり、さらに好ましくは１０〜５０ｃｍである。
【００１６】
(5)使用方法
ケレン用ブラシ１の使用方法は、取っ手４ａ，４ｂを交互に引っ張ることにより対象物体の表面を清浄化する。これにより、両端の取っ手を交互に引っ張ることができ、支承の裏側であっても、表面が凹凸であっても、芯線に固定されたブラシ部が追従するため効率よくケレンがけできる。また、両端の取っ手に荷重をかけた状態で交互に引っ張ると、ブラシ部に押圧力を与えることができ、この押圧力もケレンがけに有効である。加えて、本発明のケレン用ブラシは細いので、対象箇所が狭い部分であっても挿入でき、効率よくケレンがけできる。取っ手の引っ張り作業は、人の手で行ってもよいし、機械力によって行うこともできる。
【実施例】
【００１７】
以下、実施例を挙げて本発明を具体的に説明する。本発明は下記の実施例に限定されるものではない。
【００１８】
（実施例１）
図１Ａ，Ｂに示すケレン用ブラシ１を作成した。芯線２として直径１ｍｍの軟鉄線を３本撚り合わせ、撚り合わせる際に直径０．５ｍｍ、長さ６０ｍｍのピアノ線（引き抜き鋼線）をＵ字形にして撚り込んで固定した。芯線の撚り数は５〜１０回／１０ｃｍとした。取っ手４ａ，４ｂは芯線の両端を曲げてループ状に成形して作成した。ケレン用ブラシ１全体の長さは１５００ｍｍ，ブラシ部３の長さは３００ｍｍ，ブラシ部３の直径は３０ｍｍとした。
【００１９】
このケレン用ブラシ１を用いて図２に示す既存の高架鉄道の鋼鉄支承（沓）６の背面をケレンがけした。取っ手４ａ，４ｂの両方に荷重をかけつつ、交互に矢印に示すように引っ張った。１回の引っ張り長さは３ｃｍ〜１５ｃｍの範囲とした。この作業を同一箇所で何回か繰り返すことにより、鋼鉄支承（沓）６の背面の古い塗装膜は除去でき清浄化できた。また、表面が凹凸であっても、芯線に固定されたブラシ部が追従するため効率よくケレンがけできた。さらに、狭い箇所であってもケレン用ブラシ１を挿入できるスペースさえあれば挿入でき、効率よくケレンがけできた。
【００２０】
図３はケレン用ブラシ１を用いて鋼鉄支承（ポール）７の背面をケレンがけする際の模式的断面図である。この場合も図２の例と同様に効率よくケレンがけできた。
【００２１】
図４はケレン用ブラシ１を用いて橋台９の上の鋼鉄支承８の背面をケレンがけする際の模式的斜視図である。この場合も図２の例と同様に効率よくケレンがけできた。
【００２２】
（実施例２）
図５Ａに示すように、芯線２の途中部分にフック１０を２か所に取り付けたケレン用ブラシを作成した。図５Ｂは固定環１２に対して開閉可能な環１１を開けてフック１０を外した部分の拡大図である。このようにすると、取っ手４ａ，４ｂのいずれか一方または両方のフック１０を外してパイプ内にブラシ部３を入れ、再度フック１０を掛けることができ、図５Ｃに示すようにパイプ１３内のケレンがけができる。パイプとしては水道管、ガス管、エア配管など様々な管に適用できる。
【００２３】
（実施例３）
ブラシ用ソーワイヤとして、ＪＩＳ Ｇ３５０２に規定されるピアノ線（Ａ種、「ＳＷＲＳ ８２Ａ」相当の線材。具体的には、Ｃ：０．８２質量％、Ｓｉ：０．１９質量％、Ｍｎ：０．４９質量％を含有し、残部が鉄および不可避不純物からなる線材。）を直径１２０μｍに線引きした鋼線の表面に、ポリウレタン樹脂（ワニス）を厚み１０μｍに塗り、未硬化状態のときに最大直径が１７．５μｍのダイヤモンド砥粒を吹き付け、樹脂を硬化させて固定した。このダイヤモンド砥粒付きピアノ線を使用して実施例１〜２と同様にケレン用ブラシを作成した。
【００２４】
得られたケレン用ブラシを用いて図２〜５に示すケレンがけをしたところ、実施例１〜２と同様ないしはさらに高い効率でケレンがけできた。
【産業上の利用可能性】
【００２５】
本発明のケレン用ブラシは、既存の鉄道、道路等の橋梁、橋台、高架道路、高架鉄道、建築物等の壁面や支承表面のケレンがけに有用である。また、水道管、ガス管、エア配管など様々なパイプにも有用である。
【符号の説明】
【００２６】
１  ケレン用ブラシ
２  芯線
３  ブラシ部
４ａ，４ｂ  取っ手
６  鋼鉄支承（沓）
７  鋼鉄支承（ポール）
８  鋼鉄支承
９  橋台
１０  フック
１１  固定環
１２  開閉可能環
１３  パイプ
【図１】
2013248157.tif 000003
【図２】
2013248157.tif 000004
【図３】
2013248157.tif 000005
【図４】
2013248157.tif 000006
【図５】
2013248157.tif 000007